【事件の表示】
　特許第５９７３９９９号発明「メタクリル酸製造用触媒及びそれを用いたメタクリル酸の製造方法」の特許異議申立事件について、次のとおり決定する。
【結　論】
　特許第５９７３９９９号の請求項１ないし７に係る特許を維持する。
【理　由】
第１　手続の経緯
　特許第５９７３９９９号の請求項１〜７に係る特許についての出願は、２０１２年１１月１６日（優先権主張２０１１年１１月１７日、日本国）を国際出願日とする出願であって、平成２８年７月２２日にその特許権の設定登録がされ、その後、その特許に対し、特許異議申立人「一條　淳」により特許異議の申立てがされたものである。
第２　本件発明
　本件特許の請求項１〜７に係る発明は、その特許請求の範囲の請求項１〜７に記載された次の事項により特定されるとおりのもの（以下、「本件発明１〜７」という。）と認められる。
【請求項１】
　メタクロレインを分子状酸素により気相接触酸化してメタクリル酸を製造するために用いるメタクリル酸製造用触媒であって、下記一般式
　ＭｏａＰｂＶｃＣｕｄＹｅＺｆＺ´ｆ´Ｏｇ
（式中Ｍｏ、Ｐ、Ｖ、ＣｕおよびＯはモリブデン、リン、バナジウム、銅および酸素をそれぞれ表す。Ｙはカリウム、ルビジウム、セシウム及びタリウムから選ばれる少なくとも一種の元素を表し、Ｚはアンモニウムを表し、Ｚ´はアンチモンを表す。ａ、ｂ、ｃ、ｄ、ｅ、ｆ、ｆ´及びｇは各元素の原子比率を表し、ａ＝１０とした時、ｂは０．１以上で４以下、ｃが０．０１以上で４以下、ｄが０．０１以上で１以下、ｅが０．５以上で１．０以下、ｆが０より大きく３以下、ｆ´が０以上で３より小さく、ｇは各々の元素の酸化状態によって定まる数値である。）
で表される組成を有し、かつモリブデン、リン、バナジウム、銅を必須の成分として含むヘテロポリ酸およびヘテロポリ酸塩中においてモリブデン１０原子に対するアルカリ金属原子の原子比率をＡ、前記ヘテロポリ酸およびヘテロポリ酸塩中のモリブデン１０原子に対する銅原子の原子比率をＢ、価数をＣとしたとき、
α  ＝  Ａ  ＋（  Ｂ  ×  Ｃ  ）
０．７  ≦  α  ≦  １．１
の条件を満足するように、カウンターカチオンであるプロトンをアルカリ金属イオンで置換したメタクリル酸製造用触媒。
【請求項２】
　Ｙがセシウムである請求項１記載のメタクリル酸製造用触媒。
【請求項３】
　ａ＝１０とした時、ｄが０．１以上で０．３以下の条件を満足する請求項１または２に記載のメタクリル酸製造用触媒。
【請求項４】
　ａ＝１０とした時、ｄが０．１５以上で０．２５以下の条件を満足する請求項１〜３のいずれか１項に記載のメタクリル酸製造用触媒。
【請求項５】
　該触媒が成形触媒であることを特徴とする請求項１〜４のいずれか１項に記載のメタクリル酸製造用触媒。
【請求項６】
　請求項１〜請求項５のいずれか１項に記載の触媒を使用することを特徴とするメタクロレイン、イソブチルアルデヒド及びイソ酪酸を気相接触酸化することによるメタクリル酸の製造方法。
【請求項７】
　ｅが０．６以上で０．９以下の条件を満たす、請求項１に記載のメタクリル酸製造用触媒。
第３　申立理由の概要
　特許異議申立人は、証拠として、甲第１号証、甲第２号証（以下、「甲１」、「甲２」という。）を提出し、請求項１〜７に係る発明は、甲１に記載された発明であり、特許法第２９条第１項第３号に該当し、特許を受けることができないから、その発明に係る特許を取り消すべきものであること、及び、請求項１〜７に係る発明は、甲１〜２に記載の発明に基いて当業者が容易に発明することができたものであり、特許法第２９条第２項の規定に違反して特許されたものであるから、その発明に係る特許は取り消すべきものである旨主張している。
甲１：特開２００６−３１４９２３号公報
甲２：特開平４−３６７７３７号公報
第４　当審の判断
１．甲号証の記載
　甲１には、以下の事項が記載されている（下線は当審で付加したものである。以下同じ。）。
摘記１−１：「【特許請求の範囲】【請求項１】
　
モリブデン、リン、バナジウム、セシウム、アンモニア、銅、およびアンチモンを必須の活性成分とする触媒
メタクリル酸製造用触媒
摘記１−２：「【技術分野】
【０００１】
　本発明は、高活性、高選択性、充分な機械的強度を有する
ヘテロポリ酸触媒を使用してメタクロレイン、イソブチルアルデヒドまたはイソ酪酸を気相接触酸化してメタクリル酸を製造するための触媒
摘記１−３：「【課題を解決するための手段】【０００６】
  
モリブデン、リン、バナジウム、セシウム、アンモニア、銅、およびアンチモンを必須成分とするヘテロポリ酸部分中和塩
摘記１−４：「【００１１】
　本発明において、
活性成分含有化合物の使用割合は、その原子比がモリブデン１０に対して、バナジウムが通常０．１以上で６以下、好ましくは０．３以上で２．０以下、リンが通常０．５以上で６以下、好ましくは０．７以上で２．０以下、セシウムが通常０．０１以上で４．０以下、好ましくは０．１以上で２．０以下、アンモニア（通常アンモニウム基として含有される）が通常０．１以上で１０．０以下、好ましくは０．５以上で５．０以下、アンチモンが通常０．０１以上で５以下、好ましくは０．０５以上で２.０以下である
【００１２】
　以降、上記の工程に従って実施形態を説明する。
スラリー調製
　本発明において、触媒調製用に用いられる活性成分含有化合物は、該化合物としては活性成分元素の、塩化物、硫酸塩、硝酸塩、酸化物又は酢酸塩等が挙げられる。好ましい化合物をより具体的に例示すると硝酸カリウム又は硝酸コバルト等の硝酸塩、酸化モリブデン、五酸化バナジウム、三酸化アンチモン、酸化セリウム、酸化亜鉛又は酸化ゲルマニウム等の酸化物、正リン酸、リン酸、硼酸、リン酸アルミニウム又は１２タングストリン酸等の酸（又はその塩）等が挙げられる。また、セシウム化合物として酢酸セシウム又は水酸化セシウム及びセシウム弱酸塩を、また、アンモニウム化合物として酢酸アンモニウム又は水酸化アンモニウムを使用するのが好ましい。銅化合物としては酢酸銅（酢酸第一銅、酢酸第二銅、塩基性酢酸銅又は酸化第二銅等、好ましくは酢酸第二銅）または酸化銅（酸化第一銅、酸化第二銅）を使用すると好ましい。これら活性成分含有化合物は単独で使用してもよいし、２種以上を混合して使用してもよい。スラリーは、各活性成分含有化合物と水とを均一に混合して得ることができる。スラリーを調製する際の活性成分含有化合物の添加順序は、モリブデン、バナジウム、リン及び必要により他の金属元素を含有する化合物を充分に溶解し、その後セシウム含有化合物、アンモニウム含有化合物、銅含有化合物を添加するのが好ましい。スラリー調製時にアンチモン含有化合物を添加する場合は、必須の活性成分含有化合物のうち、最後に添加するのが好ましいが、より好ましくは、アンチモン含有化合物以外の活性成分を含有するスラリーを得た後、乾燥し、この粉末とアンチモン含有化合物を混合した後焼成するか、この粉末を焼成したのちアンチモン含有化合物を混合する。スラリーを調製する際の温度は、モリブデン、リン、バナジウム、及び必要により他の金属元素を含有する化合物を充分溶解できる温度まで加熱することが好ましい。また、セシウム含有化合物、アンモニウム含有化合物を添加する際の温度は、通常０〜３５℃、好ましくは１０〜３０℃程度の範囲であるほうが、得られる触媒が高活性になる傾向があるため、１０〜３０℃まで冷却することが好ましい。スラリーにおける水の使用量は、用いる化合物の全量を完全に溶解できるか、または均一に混合できる量であれば特に制限はないが、乾燥方法や乾燥条件等を勘案して適宜決定される。通常スラリー調製用化合物の合計質量１００質量部に対して、２００〜２０００質量部程度である。水の量は多くてもよいが、多過ぎると乾燥工程のエネルギーコストが高くなり、また完全に乾燥できない場合も生ずるなどデメリットが多い。」
摘記１−５：「【００２０】
　以下、本発明で得られる触媒を使用するのに最も好ましい原料である、メタクロレインを使用した気相接触反応につき説明する。
　
気相接触酸化反応には分子状酸素又は分子状酸素含有ガスが使用される
　原料ガスは酸素、必要により水（通常水蒸気として含む）の他に窒素、炭酸ガス、飽和炭化水素等の反応に不活性なガス等を含んでいてもよい。
　また、メタクロレインはイソブチレン、第三級ブタノール、及びメチルターシャリーブチルエーテルを酸化して得られたガスをそのまま供給してもよい。
　気相接触酸化反応における反応温度は通常２００〜４００℃、好ましくは２５０〜３６０℃、原料ガスの供給量は空間速度（ＳＶ）にして、通常１００〜６０００ｈｒ−１、好ましくは３００〜３０００ｈｒ−１である。
　また、接触酸化反応は加圧下または減圧下でも可能であるが、一般的には大気圧付近の圧力が適している。」
摘記１−６：「【００２２】
実施例１
１）触媒の調製
　純水５６８０ｍｌに三酸化モリブデン８００ｇと五酸化バナジウム４０．４３ｇ、及び８５質量％正燐酸７３．６７ｇを添加し、９２℃で３時間加熱攪拌して赤褐色の透明溶液を得た。続いて、この溶液を１５〜２０℃に冷却して、撹拌しながら９．１質量％の水酸化セシウム水溶液３０７．９ｇと、１４．３質量％の酢酸アンモニウム水溶液６８９．０ｇを徐々に添加し、１５〜２０℃で１時間熟成させて黄色のスラリーを得た。
　続いて、さらにそのスラリーに６．３質量％の酢酸第二銅水溶液７０９．９ｇを徐々に添加し、さらに１５〜２０℃で３０分熟成した。
　続いて、このスラリーを噴霧乾燥し顆粒を得た。得られた顆粒の組成は
Ｍｏ１０Ｖ０．８Ｐ１．１５Ｃｕ０．４Ｃｓ０．３（ＮＨ４）２．３
である。
　この顆粒３２０ｇを空気流通下３１０℃で５時間かけて焼成し予備焼成顆粒を得た。予備焼成により約４質量％の質量減があった。これに三酸化アンチモン２２．７ｇと強度向上材（セラミック繊維）４５ｇとを均一に混合して、球状多孔質アルミナ担体（粒径３．５ｍｍ）３００ｇに２０質量％エタノール水溶液をバインダーとして、転動造粒法により被覆成型した。次いで得られた成型物を空気流通下において３８０℃で５時間かけて本焼成を行い目的とする被覆触媒を得た。
　
得られた触媒の組成は
Ｍｏ
１０
Ｖ
０．８
Ｐ
１．１５
Ｃｕ
０．４
Ｃｓ
０．３
（ＮＨ
４
）
２．３
Ｓｂ
１．０
である。」
甲２には、以下の事項が記載されている。
摘記２−１：「【０００１】【産業上の利用分野】
　
本発明はメタクロレインの気相接触酸化によりメタクリル酸を製造する際に使用する触媒
摘記２−２：「【０００３】【発明が解決しようとする課題】
　本発明は、メタクロレインからメタクリル酸を有利に製造する新規な触媒の調製法の提供を目的としている。
【０００４】
【課題を解決するための手段】本発明者らは、従来の触媒調製法を改善すべく鋭意研究した結果、従来の方法で調製された触媒を使用する場合よりもメタクリル酸が高収率で得られる新規な触媒の調製法を見い出した。本発明は、メタクロレインを分子状酸素で気相接触酸化しメタクリル酸を製造するための触媒であって、一般式
Ｐａ　Ｍｏｂ　Ｖｃ　Ｘｄ　Ｙｅ　Ｚｆ　Ｏｇ　（ここで式中Ｐ、Ｍｏ、Ｖ及びＯはそれぞれリン、モリブデン、バナジウム及び酸素を示し、Ｘは砒素、アンチモン、ビスマス、ゲルマニウム、ジルコニウム、テルル、銀及びホウ素からなる群より選ばれた少なくとも１種の元素を示し、Ｙは鉄、銅、亜鉛、クロム、マグネシウム、タンタル、マンガン、バリウム、ガリウム、セリウム及びランタンからなる群より選ばれた少なくとも１種の元素を示し、Ｚはカリウム、ルビジウム、セシウム及びタリウムからなる群より選ばれた少なくとも１種の元素を示す。ａ、ｂ、ｃ、ｄ、ｅ、ｆ及びｇは各元素の原子比率を表し、ｂ＝１２のときａ＝０．５〜３、ｃ＝０．０１〜３、ｄ＝０〜３、ｅ＝０〜３、ｆ＝０．０１〜３であり、ｇは前記各成分の原子価を満足するのに必要な酸素原子数である。）で表される組成を有する触媒成分に、平均粒径０．０１〜１０μｍの高分子有機化合物を添加し、成型し、熱処理することを特徴とするメタクリル酸製造用触媒の調製法である。」
摘記２−３：「【００１０】
触媒成分の原料として
アンモニウム塩
摘記２−４：「【００１３】
【実施例】以下、本発明による触媒の調製法及び、それを用いての反応例を具体的に説明する。実施例、比較例中、メタクロレインの反応率、生成するメタクリル酸の選択率は以下のように定義される。」
摘記２−５：「【００１６】実施例１
パラモリブデン酸アンモニウム１００部、メタバナジン酸アンモニウム１．６６部及び硝酸カリウム４．７７部を純水３００部に溶解した
摘記２−６：「【００１９】実施例２
三酸化モリブデン１００部、五酸化バナジウム２．６３部、８５％リン酸６．６７部を純水８００部と混合する。これを還流下で３時間加熱攪拌した後、酸化銅０．９２部を加え、再び還流下で２時間加熱攪拌した。このスラリーを５０℃まで冷却し、重炭酸セシウム８．９８部を純水３０部に溶解したものを加え１５分間攪拌する。つぎに、
硝酸アンモニウム１０部を純水３０部に溶解したものを加え
この触媒の組成はＰ
１．５
Ｍｏ
１２
Ｖ
０．５
Ｃｕ
０．２
Ｃｓ
０．８
であった
２．引用発明の認定
　摘記１−２、１−５、１−６より、甲１には、以下の発明（以下、「引用発明」という。）が記載されていると認められる。 
「メタクロレインを分子状酸素又は分子状酸素含有ガスにより気相接触酸化してメタクリル酸を製造するために用いるメタクリル酸製造用触媒であって、触媒の組成がＭｏ１０Ｖ０．８Ｐ１．１５Ｃｕ０．４Ｃｓ０．３（ＮＨ４）２．３Ｓｂ１．０であるメタクリル酸製造用触媒。」
３．発明の対比　
　引用発明の触媒も分子量酸素又は分子状酸素含有ガスにより気相接触酸化されているといえるため、触媒組成はＭｏ１０Ｖ０．８Ｐ１．１５Ｃｕ０．４Ｃｓ０．３（ＮＨ４）２．３Ｓｂ１．０Ｏであると認められる。
　ここで、本件発明１と引用発明とを対比すると、
「メタクロレインを分子状酸素により気相接触酸化してメタクリル酸を製造するために用いるメタクリル酸製造用触媒であって、下記一般式
　ＭｏａＰｂＶｃＣｕｄＹｅＺｆＺ´ｆ´Ｏｇ
（式中Ｍｏ、Ｐ、Ｖ、ＣｕおよびＯはモリブデン、リン、バナジウム、銅および酸素をそれぞれ表す。Ｙはカリウム、ルビジウム、セシウム及びタリウムから選ばれる少なくとも一種の元素を表し、Ｚはアンモニウムを表し、Ｚ´はアンチモンを表す。ａ、ｂ、ｃ、ｄ、ｅ、ｆ、ｆ´及びｇは各元素の原子比率を表し、ａ＝１０とした時、ｂが１．１５、ｃが０．８、ｄが０．４、ｆが２．３、ｆ´が１．０）
で表される組成を有し、かつモリブデン、リン、バナジウム、銅を必須の成分として含むメタクリル酸製造用触媒」の点で両者が一致し、以下の３点で相違する。
相違点１：本件発明１は、触媒の組成比がモリブデン１０原子に対し、カリウム、ルビジウム、セシウム及びタリウムから選ばれる少なくとも一種の元素が０．５以上１．０以下の比であるのに対し、引用発明は、触媒の組成比がモリブデン１０原子に対し、セシウム原子が０．３の比である点。
相違点２：本件発明１は、モリブデン、リン、バナジウム、銅を必須の成分として含むヘテロポリ酸およびヘテロポリ酸塩中においてモリブデン１０原子に対するアルカリ金属原子の原子比率をＡ、ヘテロポリ酸およびヘテロポリ酸塩中のモリブデン１０原子に対する銅原子の原子比率をＢ、価数をＣとしたとき、
α  ＝  Ａ  ＋（  Ｂ  ×  Ｃ  ）
０．７  ≦  α  ≦  １．１
の条件を満足するように、カウンターカチオンであるプロトンをアルカリ金属イオンで置換したものであるのに対し、
引用発明は、上記事項について、モリブデン、リン、バナジウム、銅を必須の成分として含むヘテロポリ酸系触媒（摘記１−１、１−３）を使用することしか記載されていない点。
相違点３：本件発明１は、酸素の組成比ｇが各々の元素の酸化状態によって定まる数値であるのに対し、引用発明は、酸素の組成比について明記されていない点。
４．相違点の判断
・相違点１〜２について
　甲２には、Ｐ１．５Ｍｏ１２Ｖ０．５Ｃｕ０．２Ｃｓ０．８なる触媒組成が記載されており（摘記２−６）、これをＭｏ１０原子として各成分に比率計算すると、甲２には、Ｍｏ１０Ｐ１．２５Ｖ０．４２Ｃｕ０．１７Ｃｓ０．６７の組成比の触媒が記載されているといえる。
　ここで、本件発明１は、触媒組成について、モリブデン１０原子に対し、ＮＨ４が０超〜３の比で含まれるのに対し、甲２には、触媒を合成する際に、アンモニウム塩を用いることは記載されているものの、触媒中にＮＨ４がどの程度残存しているのかについては記載されておらず、含有量（組成比）が不明である。
　また、甲２には、セシウムの組成比について、実施例にモリブデン１０原子に対し、セシウム原子を０．６７の組成比とすることが記載されているのみで、当該組成比にすることの技術的意義について何等記載されておらず、さらに、引用発明と甲２に記載の触媒とでは、モリブデン１０原子に対するリン、バナジウム、銅の組成比もセシウムと同じく異なっており、そして、引用発明及び甲２には、他の成分の組成比を変更せずに、セシウムの組成比のみを変更する技術的な理由も示唆も記載されていないから、引用発明において、甲２に記載の触媒における、
モリブデン１０原子に対する触媒中の各元素の組成比のうち、セシウム原子の組成比のみを０．６７に変更する
　よって、相違点１は実質的な相違点であり、引用発明において、相違点１に係る事項を構成することはできない。
　なお、仮に、引用発明のモリブデン１０原子に対するセシウム原子の組成比を０．６７とした場合であっても、α＝０．６７＋（０．４×２）＝１．４７となり、本件発明１で特定する範囲を満たさない。
　そして、引用発明に甲２に記載の発明を適用する際に、αの範囲を満たすように、セシウムに加えて銅の組成比も変更する理由がないから、仮に相違点１が実質的な相違点でなかったとしても、相違点２が実質的な相違点であり、引用発明において、相違点２に係る事項を構成することはできない。
　よって、甲１〜甲２に記載の技術的事項から、上記相違点１〜２を解消することは、当業者が容易になし得たことではない。
　したがって、上記相違点１〜２に係る発明特定事項を有する本件発明１は、甲１に記載された発明ではなく、また、甲１〜甲２に記載された発明に基づいて当業者が容易に発明をすることができたものではないから、相違点３について検討するまでもなく、申立理由（特許法第２９条第１項第３号及び第２９条第２項）には理由がない。
　本件発明１を引用する本件発明２〜７についても同様である。
５．特許異議申立人の主張について
　特許異議申立人は、特許異議申立書において、摘記１−４に、
「本発明において、活性成分含有化合物の使用割合は、その原子比がモリブデン１０に対して、バナジウムが通常０．１以上で６以下、好ましくは０．３以上で２．０以下、リンが通常０．５以上で６以下、好ましくは０．７以上で２．０以下、セシウムが通常０．０１以上で４．０以下、好ましくは０．１以上で２．０以下、アンモニア（通常アンモニウム基として含有される）が通常０．１以上で１０．０以下、好ましくは０．５以上で５．０以下、アンチモンが通常０．０１以上で５以下、好ましくは０．０５以上で２.０以下である。」が記載されており、摘記１−５には、触媒の組成がＭｏ１０Ｖ０．８Ｐ１．１５Ｃｕ０．４Ｃｓ０．３（ＮＨ４）２．３Ｓｂ１．０であることが記載されているから、甲１に記載された発明（以下、「甲１発明」という。）は、
「メタクロレインを分子状酸素により気相接触酸化してメタクリル酸を製造するために用いるメタクリル酸製造用触媒であって、
　下記一般式
　ＭｏａＰｂＶｃＣｕｄＹｅＺｆＺ´ｆ´Ｏｇ
（式中Ｍｏ、Ｐ、Ｖ、ＣｕおよびＯはモリブデン、リン、バナジウム、銅および酸素をそれぞれ表す。Ｙはカリウム、ルビジウム、セシウム及びタリウムから選ばれる少なくとも一種の元素を表し、Ｚはアンモニウムを表し、Ｚ´はアンチモンを表す。ａ、ｂ、ｃ、ｄ、ｅ、ｆ、ｆ´及びｇは各元素の原子比率を表し、ａ＝１０とした時、ｂは０．５以上で６以下、ｃが０．１以上で６以下、ｄが０．４、ｅが０．０１以上で４．０以下、ｆが０．１以上１０．０以下、ｆ´が０．０１以上で５以下、ｇは各々の元素の酸化状態によって定まる数値である。）
で表される組成を有するメタクリル酸製造用触媒。」であり、
　甲１発明と本件発明１とを対比すると、
「メタクロレインを分子状酸素により気相接触酸化してメタクリル酸を製造するために用いるメタクリル酸製造用触媒であって、
　下記一般式
　ＭｏａＰｂＶｃＣｕｄＹｅＺｆＺ´ｆ´Ｏｇ
（式中Ｍｏ、Ｐ、Ｖ、ＣｕおよびＯはモリブデン、リン、バナジウム、銅および酸素をそれぞれ表す。Ｙはカリウム、ルビジウム、セシウム及びタリウムから選ばれる少なくとも一種の元素を表し、Ｚはアンモニウムを表し、Ｚ´はアンチモンを表す。ａ、ｂ、ｃ、ｄ、ｅ、ｆ、ｆ´及びｇは各元素の原子比率を表し、ａ＝１０とした時、ｂは０．１以上で４以下、ｃが０．０１以上で４以下、ｄが０．０１以上で１以下、ｅが０．５以上で１．０以下、ｆが０より大きく３以下、ｆ´が０以上で３より小さく、ｇは各々の元素の酸化状態によって定まる数値である。）で表される組成を有するメタクリル酸製造用触媒」の点が一致点であり、上記３．の相違点２と同様の相違点がある旨を主張している。
　ここで、甲１発明のモリブデン１０原子に対する銅の組成比は０．４であり、セシウムの組成比が０．５以上１．０以下であるから、αは１．３以上
１．８以下となり、本件発明１の範囲を満たさない。
　また、上記４．で検討したように、αの範囲を満たすように、セシウムに加えて銅の組成比も変更する理由がないから、上記の点で一致しているとしても、相違点２が実質的な相違点であり、引用発明において、相違点２に係る事項を構成することはできない。
　以上の点から、特許異議申立人の主張は採用できない。
　また、特許異議申立人は、「ここで、本件特許明細書の【００３２】の実施例１と甲第１号証の【００２２】実施例１とを比較すると、全く同じ材料を用いて、全く同じ手順で触媒の調製が行われ、そして、全く同じ組成の触媒が得られている」（特許異議申立書第１５頁第３行〜第５行）とも主張しているが、本件特許明細書【００３２】に記載の実施例１は、平成２７年８月１０日付け手続補正書による補正によって、本件発明１で特定する組成比（セシウムの組成比）を満たさないものとなったため、参考例に相当するものであるから、当該主張も採用出来ない。
６．まとめ
　以上のとおりであるから、請求項１〜７に係る特許は、特許法第２９条第１項第３号に該当するものでも、特許法第２９条第２項の規定に違反してされたものでもない。
第５．むすび
　以上のとおり、特許異議の申立ての理由及び証拠によっては、請求項１〜７に係る特許を取り消すことはできない。
　また、他に請求項１〜７に係る特許を取り消すべき理由を発見しない。
　よって、結論のとおり決定する。
【異議決定日】
平成２９年６月２２日（２０１７．６．２２）